(57)【要約】【課題】フィルタを効率的に再生するフィルタ装置を提供する。【解決手段】フィルタ装置は、金属筐体の内部に配設され、内燃機関の排気ガスの流入側になる第１端と、排気ガスの流出側になる第２端とを有するセラミック製のフィルタと、フィルタの外側面と金属筐体の内面との間に配設され、フィルタの内部に向けてマイクロ波を放射するマイクロ波放射部とを含み、フィルタは、第１端から第２端に向かう流入方向に沿って第２端よりも手前の第１位置まで伸延する複数の第１穴部と、流入方向に沿って第２端から第１端よりも手前の第２位置まで、第１穴部とは互い違いに伸延する、複数の第２穴部と、第１穴部の延長上において、第１位置と第２端との間に設けられる第１封止部と、第２穴部の延長上において、第２位置と第１端との間に設けられ、流入方向における長さが第１封止部とは異なる第２封止部とを有する。【選択図】図１
2018053821.tif 000002
【特許請求の範囲】
【請求項１】
金属筐体の内部に配設され、内燃機関の排気ガスの流入側になる第１端と、前記排気ガスの流出側になる第２端とを有するセラミック製のフィルタと、
前記フィルタの外側面と前記金属筐体の内面との間に配設され、前記フィルタの内部に向けてマイクロ波を放射するマイクロ波放射部と
を含み、
前記フィルタは、
前記第１端から前記第２端に向かう流入方向に沿って前記第２端よりも手前の第１位置まで伸延する複数の第１穴部と、
前記流入方向に沿って前記第２端から前記第１端よりも手前の第２位置まで、前記第１穴部とは互い違いに伸延する、複数の第２穴部と、
前記第１穴部の延長上において、前記第１位置と前記第２端との間に設けられる第１封止部と、
前記第２穴部の延長上において、前記第２位置と前記第１端との間に設けられ、前記流入方向における長さが前記第１封止部とは異なる第２封止部と
を有するフィルタ装置。
【請求項２】
前記第１封止部の長さが前記第２封止部の長さよりも長い、又は、前記第２封止部の長さが前記第１封止部の長さよりも長い、請求項１記載のフィルタ装置。
【請求項３】
金属筐体の内部に配設され、内燃機関の排気ガスの流入側になる第１端と、前記排気ガスの流出側になる第２端とを有するセラミック製のフィルタと、
前記フィルタの外側面と前記金属筐体の内面との間に配設され、前記フィルタの内部に向けてマイクロ波を放射するマイクロ波放射部と
を含み、
前記フィルタは、
前記第１端から前記第２端に向かう流入方向に沿って前記第２端よりも手前の第１位置まで伸延する複数の第１穴部と、
前記流入方向に沿って前記第２端から前記第１端よりも手前の第２位置まで、前記第１穴部とは互い違いに伸延する、複数の第２穴部と、
前記第１穴部の延長上において、前記流入方向に沿って前記第１位置よりも前記第２端側の第３位置から前記第２端まで伸延する第３穴部と、
前記第１穴部と前記第３穴部との間を封止する第１封止部と、
前記第２穴部の延長上において、前記第２位置と前記第１端との間に設けられる第２封止部と
を有するフィルタ装置。
【請求項４】
前記マイクロ波放射部によって放射されるマイクロ波の強度が第１強度の第１部分よりも、前記マイクロ波の強度が前記第１強度よりも低い第２強度の第２部分における前記第１封止部又は前記第２封止部の方が長さが長い、請求項１乃至３のいずれか一項記載のフィルタ装置。
【請求項５】
前記排気ガスによって第１温度に加熱される第１部分よりも、前記排気ガスによって前記第１温度よりも低い第２温度に加熱される第２部分における前記第１封止部又は前記第２封止部の方が長さが長い、請求項１乃至３のいずれか一項記載のフィルタ装置。
【請求項６】
請求項１乃至５のいずれか一項記載のフィルタ装置を搭載した車両。
【請求項７】
内燃機関と、前記内燃機関の排気ガスを浄化するフィルタ装置と、前記フィルタ装置の目詰まり度合を検出するセンサと、通信端末機と、前記フィルタ装置のメインテナンスが必要であることを報知する報知部と、制御部とを有する車両と、
前記通信端末機と無線通信を行うデータセンタの情報処理装置と
を含む、フィルタ装置の監視システムであって、
前記フィルタ装置は、
金属筐体の内部に配設され、内燃機関の排気ガスの流入側になる第１端と、前記排気ガスの流出側になる第２端とを有するセラミック製のフィルタと、
前記フィルタの外側面と前記金属筐体の内面との間に配設され、前記フィルタの内部に向けてマイクロ波を放射するマイクロ波放射部と
を含み、
前記フィルタは、
前記第１端から前記第２端に向かう流入方向に沿って前記第２端よりも手前の第１位置まで伸延する複数の第１穴部と、
前記流入方向に沿って前記第２端から前記第１端よりも手前の第２位置まで、前記第１穴部とは互い違いに伸延する、複数の第２穴部と、
前記第１穴部の延長上において、前記第１位置と前記第２端との間に設けられる第１封止部と、
前記第２穴部の延長上において、前記第２位置と前記第１端との間に設けられ、前記流入方向における長さが前記第１封止部とは異なる第２封止部と
を有し、
前記情報処理装置は、
前記センサによって検出される目詰まり度合を、前記通信端末機から無線通信で取得する目詰まり度合取得部と、
前記目詰まり度合取得部によって取得される目詰まり度合が所定の閾値度合以上であるかどうかを判定する判定部と、
前記判定部によって前記目詰まり度合が所定の閾値度合以上であると判定されると、前記車両に前記フィルタ装置のメインテナンスが必要であることを表すメインテナンス信号を通知する、通知部と
を有し、
前記車両の制御部は、前記通信端末機を介して前記メインテナンス信号を受信すると、前記報知部に前記メインテナンスが必要であることを報知させる、フィルタ装置の監視システム。
【請求項８】
内燃機関と、前記内燃機関の排気ガスを浄化するフィルタ装置と、前記フィルタ装置の目詰まり度合を検出するセンサと、通信端末機と、前記フィルタ装置のメインテナンスが必要であることを報知する報知部と、制御部とを有する車両の前記通信端末機と無線通信を行うデータセンタの情報処理装置が実行する、フィルタ装置の監視プログラムであって、
前記フィルタ装置は、
金属筐体の内部に配設され、内燃機関の排気ガスの流入側になる第１端と、前記排気ガスの流出側になる第２端とを有するセラミック製のフィルタと、
前記フィルタの外側面と前記金属筐体の内面との間に配設され、前記フィルタの内部に向けてマイクロ波を放射するマイクロ波放射部と
を含み、
前記フィルタは、
前記第１端から前記第２端に向かう流入方向に沿って前記第２端よりも手前の第１位置まで伸延する複数の第１穴部と、
前記流入方向に沿って前記第２端から前記第１端よりも手前の第２位置まで、前記第１穴部とは互い違いに伸延する、複数の第２穴部と、
前記第１穴部の延長上において、前記第１位置と前記第２端との間に設けられる第１封止部と、
前記第２穴部の延長上において、前記第２位置と前記第１端との間に設けられ、前記流入方向における長さが前記第１封止部とは異なる第２封止部と
を有し、
前記情報処理装置は、
前記センサによって検出される目詰まり度合を、前記通信端末機から無線通信で取得し、
前記取得した目詰まり度合が所定の閾値度合以上であるかどうかを判定し、
前記目詰まり度合が所定の閾値度合以上であると判定されると、前記車両に前記フィルタ装置のメインテナンスが必要であることを表すメインテナンス信号を通知する、フィルタ装置の監視プログラム。
【発明の詳細な説明】
【技術分野】
【０００１】
本発明は、フィルタ装置、車両、フィルタ装置の監視システム、及び、フィルタ装置の監視プログラムに関する。
【背景技術】
【０００２】
従来より、多孔質薄壁により仕切られた多数の通路を互いに平行に形成するとともに、相隣接するガス通路の入口側と出口側とを交互に目封じ材により閉塞し、かかるガス通路の入口側から導入された排気ガスが前記薄壁を通過する際排気ガス中の未燃焼成分を捕集し、これを燃焼せしめるようにしたセラミック製フイルタ体（フィルタ）をもつ排気ガス浄化用フイルタ（フィルタ装置）がある。ガス通路の入口側における目封じ材の厚さを、セラミック製フイルタ体の周縁部から中心部にかけて順次厚くなるように形成したことを特徴とする（例えば、特許文献１参照）。
【先行技術文献】
【特許文献】
【０００３】
【特許文献１】実開平０２−０６３０２０号公報
【発明の概要】
【発明が解決しようとする課題】
【０００４】
従来のフィルタ装置は、再生処理を行う際の加熱によってフィルタの中心部が高温になるのを抑制するために、ガス通路の入口側における目封じ材の厚さ（ガス通路方向の長さ）を高温になる中心部において長く、中心部よりも温度上昇が少ない周縁部で短くしている。フィルタの中心部の熱容量を大きくして、周縁部との温度差を低減するためである。
【０００５】
ところで、フィルタにマイクロ波を照射して再生処理を行う場合には、フィルタに貯まった煤自体がマイクロ波によって加熱されるため、上述のように目封じ材の長さを設定しても、フィルタを効率的に再生することは困難である。
【０００６】
そこで、フィルタを効率的に再生するフィルタ装置、車両、フィルタ装置の監視システム、及び、フィルタ装置の監視プログラムを提供することを目的とする。
【課題を解決するための手段】
【０００７】
本発明の実施の形態のフィルタ装置は、筒状の金属筐体と、前記金属筐体の内部に配設され、内燃機関の排気ガスの流入側になる第１端と、前記排気ガスの流出側になる第２端とを有するセラミック製のフィルタと、前記フィルタの外側面と前記金属筐体の内面との間に配設され、前記フィルタの内部に向けてマイクロ波を放射するマイクロ波放射部とを含み、前記フィルタは、前記第１端から前記第２端に向かう流入方向に沿って前記第２端よりも手前の第１位置まで伸延する複数の第１穴部と、前記流入方向に沿って前記第２端から前記第１端よりも手前の第２位置まで、前記第１穴部とは互い違いに伸延する、複数の第２穴部と、前記第１穴部の延長上において、前記第１位置と前記第２端との間に設けられる第１封止部と、前記第２穴部の延長上において、前記第２位置と前記第１端との間に設けられ、前記流入方向における長さが前記第１封止部とは異なる第２封止部とを有する。
【発明の効果】
【０００８】
フィルタを効率的に再生するフィルタ装置、車両、フィルタ装置の監視システム、及び、フィルタ装置の監視プログラムを提供することができる。
【図面の簡単な説明】
【０００９】
【図１】実施の形態１のフィルタ装置１００を示す図である。
【図２】実施の形態１のフィルタ装置１００を示す図である。
【図３】実施の形態１の第１態様のフィルタ１１０Ａを示す図である。
【図４】実施の形態１の第２態様のフィルタ１１０Ｂを示す図である。
【図５】図４に示すフィルタ１１０Ｂに煤３０が貯まった様子を示す図である。
【図６】実施の形態１の第３態様のフィルタ１１０Ｃを示す図である。
【図７】実施の形態１の第４態様のフィルタ１１０Ｄを示す図である。
【図８】実施の形態１の第５態様のフィルタ１１０Ｅを示す図である。
【図９】実施の形態１の第６態様のフィルタ１１０Ｆを示す図である。
【図１０】フィルタ装置１００を搭載した車両５０を示す図である。
【図１１】データセンタの情報処理装置２００を含む、フィルタ装置の監視システムを示す図である。
【図１２】情報処理装置２００の構成を示す図である。
【図１３】情報処理装置２００が実行する処理を示すフローチャートを示す図である。
【発明を実施するための形態】
【００１０】
以下、本発明のフィルタ装置、車両、フィルタ装置の監視システム、及び、フィルタ装置の監視プログラムを適用した実施の形態について説明する。
【００１１】
＜実施の形態１＞
図１及び図２は、実施の形態１のフィルタ装置１００を示す図である。
【００１２】
フィルタ装置１００は、フィルタ１１０、カバー１２０、及びアンテナ１３０を含む。フィルタ装置１００は、一例として、ディーゼルエンジンの排気ガスを浄化する装置であり、ディーゼルエンジンの排気ガスを排出する排気管に直列に挿入される。
【００１３】
フィルタ装置１００は、金属製のパイプ１０の内部に収容されている。パイプ１０は、ディーゼルエンジンの排気ガスを排出する排気管の一部であり、筒状の金属筐体の一例である。パイプ１０は、ディーゼルエンジンの排気ガスを排出する排気管の第１区間と第２区間との間に直列に挿入される。第１区間は、第２区間よりもディーゼルエンジンに近い区間である。
【００１４】
フィルタ１１０は、円柱状で多孔質のセラミック製の部材であり、複数の穴部１１１と、複数の穴部１１２とを有する。フィルタ１１０は、例えば、コージェライト製のセラミックで形成されていてもよい。コージェライトはほとんどマイクロ波を吸収しない性質を有する。
【００１５】
また、フィルタ１１０は、一方の面１１０α（図１参照）、他方の面１１０β（図２参照）、及び側面１１０γを有する。一方の面１１０αと他方の面１１０βは、ともに円形であり、側面１１０γは、円柱体の側面の形状（長方形を環状に湾曲させた形状）である。
【００１６】
穴部１１１は、フィルタ１１０の一方の面１１０αに形成される開口部から他方の面１１０βに向かってＹ軸方向に沿って伸延しており、他方の面１１０βの手前で閉じられている。穴部１１１の伸延方向（Ｙ軸方向）は、フィルタ１１０の円柱形状の中心軸が伸延する方向と等しい。
【００１７】
穴部１１１の伸延方向に垂直な断面の形状は、一例として、正方形である。穴部１１１の伸延方向に垂直な断面は、ＸＺ平面に平行な断面である。複数の穴部１１１は、ＸＺ平面視で、複数の白い正方形と、複数の黒い正方形とを市松模様に配列したうちの白い正方形の位置に配置されており、一方の面１１０αに形成される開口部から他方の面１１０βの手前まで伸延している。
【００１８】
穴部１１２の伸延方向に垂直な断面の形状は、一例として、正方形である。穴部１１２の伸延方向に垂直な断面は、ＸＺ平面に平行な断面である。複数の穴部１１２は、ＸＺ平面視で、複数の白い正方形と、複数の黒い正方形とを市松模様に配列したうちの黒い正方形の位置に配置されており、他方の面１１０βに形成される開口部から一方の面１１０αの手前まで伸延している。
【００１９】
このように、複数の穴部１１１と、複数の穴部１１２とは、入れ子式に配置されており、三次元的に重複又は接触しないように互い違いに配置されている。
【００２０】
複数の穴部１１１には、第１区間から排出される排気ガスが流入する。すなわち、複数の穴部１１１は、排気ガスが流入する流入側に位置する。また、複数の穴部１１２は、フィルタ装置１００で浄化した排気ガスを排気管の第２区間に排出する。すなわち、複数の穴部１１２は、排気ガスが流出する流出側に位置する。
【００２１】
複数の穴部１１１に流入した排気ガスは、複数の穴部１１１と複数の穴部１１２との間のフィルタ１１０の多孔質の孔部を通過して、複数の穴部１１２から流出する。
【００２２】
穴部１１１のＸＺ平面視での寸法は、一例として、１辺が１ｍｍであり、これは穴部１１２についても同じである。穴部１１１と穴部１１２とのＸ軸方向及びＺ軸方向の間隔は、一例として、３００μｍである。
【００２３】
また、フィルタ１１０のＸＺ平面視での直径と、Ｙ軸方向の長さとは、フィルタ装置１００を用いるディーゼルエンジンの排気量又は用途等に応じて、適切な値に設定すればよい。
【００２４】
カバー１２０は、円筒状の誘電体製の部材であり、フィルタ１１０の側面１１０γから所定の間隔を隔てた位置において、円柱状のフィルタ１１０と、ＸＺ平面視で同心円状に配置される。また、カバー１２０のＹ軸方向の長さは、一例として、フィルタ１１０と同一である。
【００２５】
カバー１２０の外周面には、アンテナ１３０が配置される。カバー１２０は、アンテナ１３０をフィルタ１１０の外周部に配置するために設けられている。なお、カバー１２０の内周面と、フィルタ１１０の側面１１０γとの間は、例えば、数ミリ程度であってもよい。また、カバー１２０の内周面と、フィルタ１１０の側面１１０γとは、密着していてもよい。
【００２６】
アンテナ１３０は、カバー１２０の外周面に複数設けられている。複数のアンテナ１３０は、カバー１２０の外周面において、周方向及びＹ軸方向において等間隔で配置されている。アンテナ１３０は、マイクロ波放射部の一例である。
【００２７】
図１及び図２には、一例として、アンテナ１３０がカバー１２０の周方向に９０度間隔で４つ配置され、カバー１２０のＹ軸方向に等間隔で４つ配置される形態を示す。カバー１２０の陰になる８つのアンテナ１３０の図示を省くが、１６個のアンテナ１３０が等間隔でカバー１２０の外周面に配置される形態である。
【００２８】
アンテナ１３０は、パッチアンテナである。アンテナ１３０は、例えば、銅又はアルミニウム等の金属製であればよく、薄い金属箔で実現することができる。アンテナ１３０は、図示しないマイクロ波電源に接続されており、カバー１２０の外周面の周方向、又は、Ｙ軸方向に電界が変換するマイクロ波を放射する。
【００２９】
ここでは、アンテナ１３０がマイクロ波を放射するパッチアンテナである形態について説明するため、平面視で正方形のアンテナ１３０の１辺の長さは、電気長で、マイクロ波の波長（λ）の半波長（λ／２）に設定すればよい。この１辺の長さは、カバー１２０及びフィルタ１１０の誘電率を考慮して決定すればよい。なお、マイクロ波の周波数は、例えば、ＩＳＭ(Industry-Science-Medical)バンドのうちの２．４５ＧＨｚであるが、これ以外の周波数であってもよい。マイクロ波とは、例えば、約３００ＭＨｚから約数１０ＧＨｚ程度の周波数の電磁波である。
【００３０】
なお、ここでは、１６個のアンテナ１３０が等間隔でカバー１２０の外周面に配置される形態について説明するが、アンテナ１３０の数と位置は、フィルタ１１０の大きさ、及び、フィルタ１１０の内部でのマイクロ波の分布等に応じて適宜設定すればよい。
【００３１】
また、アンテナ１３０は、マイクロ波をフィルタ１１０の内部に向けて放射できるアンテナであればよいため、パッチアンテナに限られない。アンテナ１３０としては、スロットアンテナ、ダイポールアンテナ、又はモノポールアンテナを用いてもよい。
【００３２】
実施の形態１のフィルタ装置１００は、アンテナ１３０からフィルタ１１０に向けて照射するマイクロ波で煤を加熱し、焼却することによって除去する。このようにして、フィルタ装置１００の再生処理を行う。フィルタ装置１００は、再生処理を行う際に、燃料を用いてフィルタ１１０自体を燃焼することは行わない。なお、煤とは、ディーゼルエンジンの排気ガスに含まれる排気微粒子であり、黒煙微粒子、又は、黒鉛微粒子等である。
【００３３】
フィルタ装置１００を再生するには、煤を約６００℃まで加熱することが必要であるが、排気ガスの温度は約１５０℃であるため、マイクロ波で煤を加熱しているときに、煤の温度が排気ガスによって冷却されると、フィルタ１１０を全体的に再生することができず、ムラが生じるおそれがある。すなわち、排気ガスによる冷却の影響を考慮しないと、効率的にフィルタ装置１００を再生できなくなるおそれがある。
【００３４】
そこで、実施の形態１では、効率的にフィルタ装置１００の再生処理を行うために、以下で説明するような様々な工夫を行う。以下では、パイプ１０、カバー１２０、及びアンテナ１３０の図示を省略し、図３に示すフィルタ１１０の変形例である第１形態乃至第６形態について説明する。また、以下で説明するフィルタ１１０Ａ〜１１０Ｆは、図３に示すフィルタ１１０の代わりに、カバー１２０の内部に配置されるものである。
【００３５】
図３は、実施の形態１の第１態様のフィルタ１１０Ａを示す図である。図３には、フィルタ１１０Ａの円柱形状の中心軸を通るＹＺ平面に平行な断面を示す。
【００３６】
フィルタ１１０Ａは、アンテナ１３０から放射されるマイクロ波の強度に分布があり、マイクロ波の強度が第１閾値よりも低い部分１１０Ａ１（以下、低強度部分１１０Ａ１と称す）が存在する。図３では、低強度部分１１０Ａ１をグレーで示す。低強度部分１１０Ａ１は、円柱形状の中心軸に沿った中央部と、外周部とに存在する。
【００３７】
ここで、低強度部分１１０Ａ１の内部に含まれる穴部１１１を穴部１１１Ａ１と称し、低強度部分１１０Ａ１の内部に含まれない穴部１１１を穴部１１１Ａ２と称して区別する。
【００３８】
フィルタ１１０Ａは、穴部１１１Ａ１の延長上の壁部１１３Ａ１を、穴部１１１Ａ２の延長上の壁部１１３Ａ２よりも中心軸方向（Ｙ軸方向）に厚く（長く）している。また、壁部１１３Ａ２のＹ軸方向の長さ（厚さ）は、穴部１１２Ａの延長上の壁部１１４Ａと等しい。
【００３９】
穴部１１１Ａ１、１１１Ａ２は、第１穴部の一例であり、壁部１１３Ａ１、１１３Ａ２は、第１封止部の一例であり、穴部１１２Ａは、第２穴部の一例であり、壁部１１４Ａは、第２封止部の一例である。なお、すべての穴部１１２Ａの長さは等しく、すべての壁部１１４ＡのＹ軸方向の長さ（厚さ）は等しい。
【００４０】
このようにすれば、穴部１１１Ａ１から隣接する穴部１１２Ａに通過する排気ガスの通気抵抗は、穴部１１１Ａ２から隣接する穴部１１２Ａに通過する排気ガスの通気抵抗よりも大きくなるため、穴部１１１Ａ１に流れる排気ガスの流量は、穴部１１１Ａ２に流れる排気ガスの流量よりも少なくなる。
【００４１】
このため、穴部１１１Ａ１は、穴部１１１Ａ２よりも排気ガスによる温度低下が生じにくくなり、アンテナ１３０からフィルタ１１０Ａにマイクロ波を放射して煤を加熱するときに、穴部１１１Ａ１の内部に貯まる煤と、穴部１１１Ａ２の内部に貯まる煤との温度差の発生が抑制される。
【００４２】
従って、アンテナ１３０から放射されるマイクロ波の強度に分布があっても、フィルタ１１０Ａ内に貯まる煤を均一に加熱でき、フィルタ１１０Ａを効率的に再生することができるフィルタ装置１００を提供することができる。
【００４３】
図４は、実施の形態１の第２態様のフィルタ１１０Ｂを示す図である。図４には、フィルタ１１０Ｂの円柱形状の中心軸を通るＹＺ平面に平行な断面を示す。
【００４４】
フィルタ１１０Ｂは、アンテナ１３０から放射されるマイクロ波の強度に分布があり、マイクロ波の強度が第１閾値よりも低い部分１１０Ｂ１（以下、低強度部分１１０Ｂ１と称す）が存在する。図４では、低強度部分１１０Ｂ１をグレーで示す。低強度部分１１０Ｂ１は、円柱形状の中心軸に沿った中央部と、外周部とに存在する。
【００４５】
ここで、低強度部分１１０Ｂ１の内部に含まれる穴部１１２を穴部１１２Ｂ１と称し、低強度部分１１０Ｂ１の内部に含まれない穴部１１２を穴部１１２Ｂ２と称して区別する。
【００４６】
フィルタ１１０Ｂは、穴部１１２Ｂ１の延長上の壁部１１４Ｂ１を、穴部１１２Ｂ２の延長上の壁部１１４Ｂ２よりも中心軸方向（Ｙ軸方向）に厚く（長く）している。また、壁部１１４Ｂ２のＹ軸方向の長さ（厚さ）は、穴部１１１Ｂの延長上の壁部１１３Ｂと等しい。
【００４７】
なお、すべての穴部１１１ＢＢの長さは等しく、すべての壁部１１３ＢのＹ軸方向の長さ（厚さ）は等しい。穴部１１１Ｂは、第１穴部の一例であり、壁部１１３Ｂは、第１封止部の一例であり、穴部１１２Ｂ１、１１２Ｂ２は、第２穴部の一例であり、壁部１１４Ｂ１、１１４Ｂ２は、第２封止部の一例である。
【００４８】
このようにすれば、穴部１１１Ｂから隣接する穴部１１２Ｂ１に通過する排気ガスの通気抵抗は、穴部１１１Ｂから隣接する穴部１１２Ｂ２に通過する排気ガスの通気抵抗よりも大きくなるため、穴部１１２Ｂ１に隣接する穴部１１１Ｂに流れる排気ガスの流量は、穴部１１２Ｂ２に隣接する穴部１１１Ｂに流れる排気ガスの流量よりも少なくなる。
【００４９】
このため、穴部１１２Ｂ１に隣接する穴部１１１Ｂは、穴部１１２Ｂ２に隣接する穴部１１１Ｂよりも排気ガスによる温度低下が生じにくくなり、アンテナ１３０からフィルタ１１０Ｂにマイクロ波を放射して煤を加熱するときに、穴部１１２Ｂ１に隣接する穴部１１１Ｂの内部に貯まる煤と、穴部１１２Ｂ２に隣接する穴部１１１Ｂの内部に貯まる煤との温度差の発生が抑制される。
【００５０】
従って、アンテナ１３０から放射されるマイクロ波の強度に分布があっても、フィルタ１１０Ｂ内に貯まる煤を均一に加熱でき、フィルタ１１０Ｂを効率的に再生することができるフィルタ装置１００を提供することができる。
【００５１】
図５は、図４に示すフィルタ１１０Ｂに煤３０が貯まった様子を示す図である。
【００５２】
煤３０は、穴部１１１の奥（Ｙ軸正方向側）に貯まるため、フィルタ１１０Ｂの奥（Ｙ軸正方向側）側を重点的に加熱することにより、より効率的に煤３０を除去することができる。
【００５３】
図６は、実施の形態１の第３態様のフィルタ１１０Ｃを示す図である。図６には、フィルタ１１０Ｃの円柱形状の中心軸を通るＹＺ平面に平行な断面を示す。第３態様のフィルタ１１０Ｃは、第１態様のフィルタ１１０Ａと、第２態様のフィルタ１１０Ｂとを組み合わせた構成を有する。
【００５４】
フィルタ１１０Ｃは、アンテナ１３０から放射されるマイクロ波の強度に分布があり、マイクロ波の強度が第１閾値よりも低い部分１１０Ｃ１（以下、低強度部分１１０Ｃ１と称す）が存在する。図６では、低強度部分１１０Ｃ１をグレーで示す。低強度部分１１０Ｃ１は、円柱形状の中心軸に沿った中央部と、外周部とに存在する。
【００５５】
ここで、低強度部分１１０Ｃ１の内部に含まれる穴部１１１を穴部１１１Ｃ１と称し、低強度部分１１０Ｃ１の内部に含まれない穴部１１１を穴部１１１Ｃ２と称して区別する。
【００５６】
また、低強度部分１１０Ｃ１の内部に含まれる穴部１１２を穴部１１２Ｃ１と称し、低強度部分１１０Ｃ１の内部に含まれない穴部１１２を穴部１１２Ｃ２と称して区別する。
【００５７】
フィルタ１１０Ｃは、穴部１１１Ｃ１の延長上の壁部１１３Ｃ１を、穴部１１１Ｃ２の延長上の壁部１１３Ｃ２よりも中心軸方向（Ｙ軸方向）に厚く（長く）している。これは、第１態様のフィルタ１１０Ａの壁部１１３Ａ１、１１３Ａ２と同様である。
【００５８】
このようにすれば、穴部１１１Ｃ１から隣接する穴部１１２に通過する排気ガスの通気抵抗は、穴部１１１Ｃ２から隣接する穴部１１２に通過する排気ガスの通気抵抗よりも大きくなるため、穴部１１１Ｃ１に流れる排気ガスの流量は、穴部１１１Ｃ２に流れる排気ガスの流量よりも少なくなる。
【００５９】
なお、穴部１１１Ｃ１、１１１Ｃ２は、第１穴部の一例であり、壁部１１３Ｃ１、１１３Ｃ２は、第１封止部の一例である。
【００６０】
また、フィルタ１１０Ｃは、穴部１１２Ｃ１の延長上の壁部１１４Ｃ１を、穴部１１２Ｃ２の延長上の壁部１１４Ｃ２よりも中心軸方向（Ｙ軸方向）に厚く（長く）している。なお、壁部１１４Ｃ２のＹ軸方向の長さ（厚さ）は、壁部１１３Ｃ２と等しい。
【００６１】
このようにすれば、穴部１１１から隣接する穴部１１２Ｃ１に通過する排気ガスの通気抵抗は、穴部１１１から隣接する穴部１１２Ｃ２に通過する排気ガスの通気抵抗よりも大きくなるため、穴部１１２Ｃ１に隣接する穴部１１１に流れる排気ガスの流量は、穴部１１２Ｃ２に隣接する穴部１１１に流れる排気ガスの流量よりも少なくなる。
【００６２】
なお、穴部１１２Ｃ１、１１２Ｃ２は、第２穴部の一例であり、壁部１１４Ｃ１、１１４Ｃ２は、第２封止部の一例である。
【００６３】
このため、穴部１１１Ｃ１は、穴部１１１Ｃ２よりも排気ガスによる温度低下が生じにくくなり、アンテナ１３０からフィルタ１１０Ｃにマイクロ波を放射して煤を加熱するときに、穴部１１１Ｃ１の内部に貯まる煤と、穴部１１１Ｃ２の内部に貯まる煤との温度差の発生が抑制される。
【００６４】
また、穴部１１２Ｃ１に隣接する穴部１１１は、穴部１１２Ｃ２に隣接する穴部１１１よりも排気ガスによる温度低下が生じにくくなり、アンテナ１３０からフィルタ１１０Ｃにマイクロ波を放射して煤を加熱するときに、穴部１１２Ｃ１に隣接する穴部１１１の内部に貯まる煤と、穴部１１２Ｃ２に隣接する穴部１１１の内部に貯まる煤との温度差の発生が抑制される。
【００６５】
従って、アンテナ１３０から放射されるマイクロ波の強度に分布があっても、フィルタ１１０Ｃ内に貯まる煤を均一に加熱でき、フィルタ１１０Ｃを効率的に再生することができるフィルタ装置１００を提供することができる。
【００６６】
図７は、実施の形態１の第４態様のフィルタ１１０Ｄを示す図である。図７には、フィルタ１１０Ｄの円柱形状の中心軸を通るＹＺ平面に平行な断面を示す。
【００６７】
フィルタ１１０Ｄは、穴部１１１Ｄの延長上の壁部１１３Ｄの中心軸方向（Ｙ軸方向）の長さ（厚さ）を不均一にしている。換言すれば、フィルタ１１０Ｄは、長さ（厚さ）が互いに異なる壁部１１３Ｄを有する。また、フィルタ１１０Ｄは、長さ（厚さ）が互いに異なる穴部１１１を有することとして捉えることもできる。
【００６８】
また、穴部１１２Ｄは、図３に示す穴部１１２と同様である。穴部１１２Ｄの延長上の壁部１１４Ｄの中心軸方向（Ｙ軸方向）の長さ（厚さ）は均一である。これは、図３に示す１１４Ａと同様である。
【００６９】
なお、穴部１１１Ｄは、第１穴部の一例であり、壁部１１３Ｄは、第１封止部の一例であり、穴部１１２Ｄは、第２穴部の一例であり、壁部１１４Ｄは、第２封止部の一例である。
【００７０】
このようにすれば、長さ（厚さ）が長い（厚い）壁部１１３Ｄに当接する穴部１１１では、排気ガスの流量が少なくなり、長さ（厚さ）が短い（薄い）壁部１１３Ｄに当接する穴部１１１では、排気ガスの流量が多くなる。
【００７１】
従って、アンテナ１３０でフィルタ１１０Ｄにマイクロ波を照射した場合に、穴部１１１の長さ（厚さ）に応じて温度の上昇の仕方が異なるため、煤が焼却されるタイミングが異なるようになり、フィルタ１１０Ｄを再生する際に、排気ガスの圧力損失を抑制することができる。
【００７２】
従って、フィルタ１１０Ｄを効率的に再生することができるフィルタ装置１００を提供することができる。
【００７３】
なお、穴部１１１の長さ（厚さ）（壁部１１３Ｄの中心軸方向（Ｙ軸方向）の長さ（厚さ））は、ＹＺ平面視でどのように分布させてもよい。実際の排気ガスの流れ、又は、温度分布等に応じて、適宜決定すればよい。
【００７４】
また、壁部１１３Ｄの中心軸方向（Ｙ軸方向）の長さ（厚さ）に分布を持たせる代わりに、あるいは、これに加えて、壁部１１４Ｄの中心軸方向（Ｙ軸方向）の長さ（厚さ）に分布を持たせてもよい。
【００７５】
図８は、実施の形態１の第５態様のフィルタ１１０Ｅを示す図である。図８には、フィルタ１１０Ｅの円柱形状の中心軸を通るＹＺ平面に平行な断面を示す。
【００７６】
フィルタ１１０Ｅは、穴部１１１Ｅ１の途中に壁部１１３Ｅを設けており、壁部１１３Ｅの中心軸方向（Ｙ軸方向）における位置は、複数種類ある。すなわち、穴部１１１Ｅ１の中心軸方向（Ｙ軸方向）における長さは、複数種類ある。
【００７７】
また、すべての壁部１１３Ｅの長さ（厚さ）は互いに等しいため、穴部１１１Ｅ１の延長上には、壁部１１３ＥのＹ軸正方向側に穴部１１１Ｅ２がある。穴部１１１Ｅ１は、第１穴部の一例であり、壁部１１３Ｅは、第１封止部の一例であり、穴部１１１Ｅ２は、第３穴部の一例である。
【００７８】
穴部１１２Ｅは、図３に示す穴部１１２と同様である。穴部１１２Ｅの延長上の壁部１１４Ｅの中心軸方向（Ｙ軸方向）の長さ（厚さ）は均一である。これは、図３に示す１１４Ａと同様である。穴部１１２Ｅは、第２穴部の一例である。壁部１１４Ｅは、第２封止部の一例である。
【００７９】
このように、穴部１１１Ｅ１の中心軸方向（Ｙ軸方向）における長さが複数種類あるため、図７に示すフィルタ１１０Ｄと同様に、長さ（厚さ）が長い穴部１１１Ｅ１では、排気ガスの流量が多くなり、長さ（厚さ）が短い穴部１１１Ｅ１では、排気ガスの流量が少なくなる。
【００８０】
従って、アンテナ１３０でフィルタ１１０Ｅにマイクロ波を照射した場合に、穴部１１１Ｅ１の長さ（厚さ）に応じて温度の上昇の仕方が異なるため、煤が焼却されるタイミングが異なるようになり、フィルタ１１０Ｅを再生する際に、排気ガスの圧力損失を抑制することができる。
【００８１】
また、壁部１１３Ｅの長さ（厚さ）は互いに等しいため、壁部１１３Ｅの熱容量を小さくすることができ、壁部１１３Ｅの近傍に貯まる煤の熱量が壁部１１３Ｅに伝導することが抑制され、効率的に煤を加熱することができる。
【００８２】
従って、フィルタ１１０Ｅを効率的に再生することができるフィルタ装置１００を提供することができる。
【００８３】
なお、壁部１１３Ｅの位置は、ＹＺ平面視でどのように分布させてもよい。実際の排気ガスの流れ、又は、温度分布等に応じて、適宜決定すればよい。
【００８４】
図９は、実施の形態１の第６態様のフィルタ１１０Ｆを示す図である。図９には、フィルタ１１０Ｆの円柱形状の中心軸を通るＹＺ平面に平行な断面を示す。
【００８５】
フィルタ１１０Ｆは、図１及び図２に示すように金属製のパイプ１０に覆われる。金属製のパイプ１０は、放熱性が高いため、フィルタ１１０Ｆは、円筒形状の中心軸側よりも外周部１１０Ｆ１の方が温度が低下しやすい。
【００８６】
このため、フィルタ１１０Ｆは、外周部１１０Ｆ１の穴部１１１を穴部１１１Ｆ１と称し、外周部１１０Ｆ１よりも内側の穴部１１１を穴部１１１Ｆ２と称して区別する。
【００８７】
フィルタ１１０Ｆは、穴部１１１Ｆ１の延長上の壁部１１３Ｆ１を、穴部１１１Ｆ２の延長上の壁部１１３Ｆ２よりも中心軸方向（Ｙ軸方向）に厚く（長く）している。なお、壁部１１３Ｆ２のＹ軸方向の長さ（厚さ）は、穴部１１２Ｆの延長上の壁部１１４Ｆと等しい。穴部１１２Ｆ及び壁部１１４Ｆは、それぞれ、図８に示す穴部１１２Ｅ及び壁部１１４Ｅと同様である。
【００８８】
なお、穴部１１１Ｆ１、１１１Ｆ２は、第１穴部の一例であり、壁部１１３Ｆ１、１１３Ｆ２は、第１封止部の一例であり、穴部１１２Ｆは、第２穴部の一例であり、壁部１１４Ｆは、第２封止部の一例である。
【００８９】
このようにすれば、穴部１１１Ｆ１から隣接する穴部１１２Ｆに通過する排気ガスの通気抵抗は、穴部１１１Ｆ２から隣接する穴部１１２Ｆに通過する排気ガスの通気抵抗よりも大きくなるため、穴部１１１Ｆ１に流れる排気ガスの流量は、穴部１１１Ｆ２に流れる排気ガスの流量よりも少なくなる。
【００９０】
このため、穴部１１１Ｆ１は、穴部１１１Ｆ２よりも排気ガスによる温度低下が生じにくくなり、アンテナ１３０からフィルタ１１０Ｆにマイクロ波を放射して煤を加熱するときに、穴部１１１Ｆ１の内部に貯まる煤と、穴部１１１Ｆ２の内部に貯まる煤との温度差の発生が抑制される。
【００９１】
従って、アンテナ１３０から放射されるマイクロ波の強度に分布があっても、フィルタ１１０Ｆ内に貯まる煤を均一に加熱でき、フィルタ１１０Ｆを効率的に再生することができるフィルタ装置１００を提供することができる。
【００９２】
＜実施の形態２＞
図１０は、フィルタ装置１００を搭載した車両５０を示す図である。実施の形態２は、実施の形態１の効率的に再生することができるフィルタ装置１００を搭載した車両５０に、フィルタ装置１００（フィルタ１１０）のメインテナンスの通知を行うものである。
【００９３】
車両５０は、内燃機関５１、排気管５２、通信端末機５３、報知部５４、及び制御部５５を有する。フィルタ装置１００は、内燃機関５１から排出される排気ガスを誘導する排気管５２の途中に挿入されている。
【００９４】
また、通信端末機５３は、後述するデータセンタの情報処理装置と無線通信を行う端末装置であり、例えば、携帯電話回線を利用した通信、又は、ビーコンのような路車間通信等によって、データセンタの情報処理装置と通信を行う。
【００９５】
報知部５４は、例えば、車両５０のメータパネル等に設置される警報灯であり、フィルタ１１０の再生処理を繰り返しているうちに、再生処理では除去しきれないほどに煤が貯まった場合に、制御部５５によって点灯される。
【００９６】
制御部５５は、車両５０に搭載されるコンピュータであり、フィルタ装置１００の目詰まり度合を検出するセンサによって検出される目詰まり度合を表す信号を通信端末機５３を介してデータセンタの情報処理装置に送信する。
【００９７】
また、制御部５５は、通信端末機５３を介して、データセンタの情報処理装置からフィルタ装置１００のメインテナンスが必要であることを表すメインテナンス信号を受信すると、報知部５４を点灯する。
【００９８】
ここで、フィルタ装置１００のメインテナンスが必要であることとは、アンテナ１３０からマイクロ波をフィルタ１１０に照射してフィルタ１１０の再生処理を行って、フィルタ１１０に貯まった煤を複数回除去しても、フィルタ１１０に残留してしまう煤が所定量以上に達して、フィルタ１１０の目詰まり度合が所定の閾値度合以上になっていることである。このような状態では、車両５０は整備工場に入庫して、フィルタ１１０を分解して清掃する清掃作業、又は、フィルタ１１０を新品又はリビルド品に交換する交換作業が必要になる。
【００９９】
なお、フィルタ装置１００（フィルタ１１０）の目詰まり度合を検出するセンサとしては、アンテナ１３０を用いる。アンテナ１３０からフィルタ１１０にマイクロ波を照射し、反射波又は透過波を検出することにより、フィルタ１１０の目詰まり度合を検出する。アンテナ１３０によって検出される目詰まり度合を表す信号は、制御部５５によって通信端末機５３を介して、データセンタの情報処理装置に送信される。このようにアンテナ１３０を用いる目詰まり度合の検出は、制御部５５が、定期的（例えば、１ヶ月毎）に行うようにすればよい。
【０１００】
また、ここでは、一例として、目詰まり度合を検出するセンサとして用いられるアンテナ１３０を用いる形態について説明するが、目詰まり度合を検出するセンサとして、次のようなセンサを用いてもよい。例えば、フィルタ１１０に流入する排気ガスの圧力と、フィルタ１１０から排出される排気ガスの圧力との差を監視し、圧力差が所定の閾値度合以上になった場合に、目詰まりが生じていると判定してもよい。また、フィルタ１１０に煤が貯まると、煤が帯びている電荷の影響で、フィルタ１１０の静電容量が変化する。このような静電容量の変化が所定の閾値度合以上になった場合に、目詰まりが生じていると判定してもよい。また、これら以外にフィルタ１１０に生じうる物理量の変化を検出するセンサを用いてもよい。
【０１０１】
図１１は、データセンタの情報処理装置２００を含む、フィルタ装置の監視システムを示す図である。データセンタの情報処理装置２００は、無線基地局８０を介して、車両５０と無線通信を行えるようになっている。無線基地局８０は、例えば、携帯電話回線を利用する無線通信用の基地局（中継局）である。このようなデータセンタの情報処理装置２００は、サーバであってもよく、複数のサーバ又はコンピュータ等によって実現される仮想マシン（例えば、クラウド型のコンピュータ）であってもよい。
【０１０２】
図１２は、情報処理装置２００の構成を示す図である。情報処理装置２００は、目詰まり度合取得部２０１、判定部２０２、及び通知部２０３を有する。
【０１０３】
目詰まり度合取得部２０１は、目詰まり度合を検出するセンサとして用いられるアンテナ１３０によって検出される目詰まり度合を表す信号を通信端末機５３から無線通信で取得する。
【０１０４】
判定部２０２は、目詰まり度合取得部２０１によって取得される目詰まり度合が所定の閾値度合以上であるかどうかを判定する。
【０１０５】
通知部２０３は、判定部２０２によって目詰まり度合が所定の閾値度合以上であると判定されると、車両５０にフィルタ装置１００（フィルタ１１０）のメインテナンスが必要であることを表すメインテナンス信号を通知する。
【０１０６】
図１３は、情報処理装置２００が実行する処理を示すフローチャートを示す図である。このフローは、目詰まり度合取得部２０１、判定部２０２、及び通知部２０３によって実行される。
【０１０７】
目詰まり度合取得部２０１が、目詰まり度合を表す信号を通信端末機５３から無線通信で取得すると、フローを開始する（スタート）。
【０１０８】
判定部２０２は、目詰まり度合取得部２０１によって取得される目詰まり度合が所定の閾値度合以上であるかどうかを判定する（ステップＳ１）。
【０１０９】
通知部２０３は、判定部２０２によって目詰まり度合が所定の閾値度合以上である（Ｓ１：ＹＥＳ）と判定されると、車両５０にメインテナンス信号を通知する（ステップＳ２）。
【０１１０】
通知部２０３がメインテナンス信号を通知すると、一連の処理は終了する（エンド）。
【０１１１】
なお、ステップＳ１において、判定部２０２が目詰まり度合取得部２０１によって取得される目詰まり度合が所定の閾値度合以上ではない（Ｓ１：ＮＯ）と判定した場合は、ステップＳ２の処理を行うことなく、一連の処理を終了する（エンド）。
【０１１２】
以上、実施の形態２によれば、実施の形態１と同様にフィルタ１１０を効率的に再生することができるフィルタ装置１００を搭載した車両５０と無線通信を行ってフィルタ１１０の目詰まり度合を判定し、目詰まり度合が所定の閾値度合以上になった場合に、メインテナンス信号を通知する。
【０１１３】
このため、再生処理で済む間は効率的に再生することができ、メインテナンスが必要になった場合には、車両５０の利用者にメインテナンスが必要であることを確実に伝達することができる、車両５０、フィルタ装置１００の監視システム、及び、フィルタ装置１００の監視プログラムを提供することができる。
【０１１４】
以上、本発明の例示的な実施の形態のフィルタ装置、車両、フィルタ装置の監視システム、及び、フィルタ装置の監視プログラムについて説明したが、本発明は、具体的に開示された実施の形態に限定されるものではなく、特許請求の範囲から逸脱することなく、種々の変形や変更が可能である。
以上の実施の形態に関し、さらに以下の付記を開示する。
（付記１）
金属筐体の内部に配設され、内燃機関の排気ガスの流入側になる第１端と、前記排気ガスの流出側になる第２端とを有するセラミック製のフィルタと、
前記フィルタの外側面と前記金属筐体の内面との間に配設され、前記フィルタの内部に向けてマイクロ波を放射するマイクロ波放射部と
を含み、
前記フィルタは、
前記第１端から前記第２端に向かう流入方向に沿って前記第２端よりも手前の第１位置まで伸延する複数の第１穴部と、
前記流入方向に沿って前記第２端から前記第１端よりも手前の第２位置まで、前記第１穴部とは互い違いに伸延する、複数の第２穴部と、
前記第１穴部の延長上において、前記第１位置と前記第２端との間に設けられる第１封止部と、
前記第２穴部の延長上において、前記第２位置と前記第１端との間に設けられ、前記流入方向における長さが前記第１封止部とは異なる第２封止部と
を有するフィルタ装置。
（付記２）
前記第１封止部の長さが前記第２封止部の長さよりも長い、又は、前記第２封止部の長さが前記第１封止部の長さよりも長い、付記１記載のフィルタ装置。
（付記３）
金属筐体の内部に配設され、内燃機関の排気ガスの流入側になる第１端と、前記排気ガスの流出側になる第２端とを有するセラミック製のフィルタと、
前記フィルタの外側面と前記金属筐体の内面との間に配設され、前記フィルタの内部に向けてマイクロ波を放射するマイクロ波放射部と
を含み、
前記フィルタは、
前記第１端から前記第２端に向かう流入方向に沿って前記第２端よりも手前の第１位置まで伸延する複数の第１穴部と、
前記流入方向に沿って前記第２端から前記第１端よりも手前の第２位置まで、前記第１穴部とは互い違いに伸延する、複数の第２穴部と、
前記第１穴部の延長上において、前記流入方向に沿って前記第１位置よりも前記第２端側の第３位置から前記第２端まで伸延する第３穴部と、
前記第１穴部と前記第３穴部との間を封止する第１封止部と、
前記第２穴部の延長上において、前記第２位置と前記第１端との間に設けられる第２封止部と
を有するフィルタ装置。
（付記４）
前記マイクロ波放射部によって放射されるマイクロ波の強度が第１強度の第１部分よりも、前記マイクロ波の強度が前記第１強度よりも低い第２強度の第２部分における前記第１封止部又は前記第２封止部の方が長さが長い、付記１乃至３のいずれか一項記載のフィルタ装置。
（付記５）
前記排気ガスによって第１温度に加熱される第１部分よりも、前記排気ガスによって前記第１温度よりも低い第２温度に加熱される第２部分における前記第１封止部又は前記第２封止部の方が長さが長い、付記１乃至３のいずれか一項記載のフィルタ装置。
（付記６）
付記１乃至５のいずれか一項記載のフィルタ装置を搭載した車両。
（付記７）
内燃機関と、前記内燃機関の排気ガスを浄化するフィルタ装置と、前記フィルタ装置の目詰まり度合を検出するセンサと、通信端末機と、前記フィルタ装置のメインテナンスが必要であることを報知する報知部と、制御部とを有する車両と、
前記通信端末機と無線通信を行うデータセンタの情報処理装置と
を含む、フィルタ装置の監視システムであって、
前記フィルタ装置は、
金属筐体の内部に配設され、内燃機関の排気ガスの流入側になる第１端と、前記排気ガスの流出側になる第２端とを有するセラミック製のフィルタと、
前記フィルタの外側面と前記金属筐体の内面との間に配設され、前記フィルタの内部に向けてマイクロ波を放射するマイクロ波放射部と
を含み、
前記フィルタは、
前記第１端から前記第２端に向かう流入方向に沿って前記第２端よりも手前の第１位置まで伸延する複数の第１穴部と、
前記流入方向に沿って前記第２端から前記第１端よりも手前の第２位置まで、前記第１穴部とは互い違いに伸延する、複数の第２穴部と、
前記第１穴部の延長上において、前記第１位置と前記第２端との間に設けられる第１封止部と、
前記第２穴部の延長上において、前記第２位置と前記第１端との間に設けられ、前記流入方向における長さが前記第１封止部とは異なる第２封止部と
を有し、
前記情報処理装置は、
前記センサによって検出される目詰まり度合を、前記通信端末機から無線通信で取得する目詰まり度合取得部と、
前記目詰まり度合取得部によって取得される目詰まり度合が所定の閾値度合以上であるかどうかを判定する判定部と、
前記判定部によって前記目詰まり度合が所定の閾値度合以上であると判定されると、前記車両に前記フィルタ装置のメインテナンスが必要であることを表すメインテナンス信号を通知する、通知部と
を有し、
前記車両の制御部は、前記通信端末機を介して前記メインテナンス信号を受信すると、前記報知部に前記メインテナンスが必要であることを報知させる、フィルタ装置の監視システム。
（付記８）
内燃機関と、前記内燃機関の排気ガスを浄化するフィルタ装置と、前記フィルタ装置の目詰まり度合を検出するセンサと、通信端末機と、前記フィルタ装置のメインテナンスが必要であることを報知する報知部と、制御部とを有する車両の前記通信端末機と無線通信を行うデータセンタの情報処理装置が実行する、フィルタ装置の監視プログラムであって、
前記フィルタ装置は、
金属筐体の内部に配設され、内燃機関の排気ガスの流入側になる第１端と、前記排気ガスの流出側になる第２端とを有するセラミック製のフィルタと、
前記フィルタの外側面と前記金属筐体の内面との間に配設され、前記フィルタの内部に向けてマイクロ波を放射するマイクロ波放射部と
を含み、
前記フィルタは、
前記第１端から前記第２端に向かう流入方向に沿って前記第２端よりも手前の第１位置まで伸延する複数の第１穴部と、
前記流入方向に沿って前記第２端から前記第１端よりも手前の第２位置まで、前記第１穴部とは互い違いに伸延する、複数の第２穴部と、
前記第１穴部の延長上において、前記第１位置と前記第２端との間に設けられる第１封止部と、
前記第２穴部の延長上において、前記第２位置と前記第１端との間に設けられ、前記流入方向における長さが前記第１封止部とは異なる第２封止部と
を有し、
前記情報処理装置は、
前記センサによって検出される目詰まり度合を、前記通信端末機から無線通信で取得し、
前記取得した目詰まり度合が所定の閾値度合以上であるかどうかを判定し、
前記目詰まり度合が所定の閾値度合以上であると判定されると、前記車両に前記フィルタ装置のメインテナンスが必要であることを表すメインテナンス信号を通知する、フィルタ装置の監視プログラム。
【符号の説明】
【０１１５】
１０  パイプ
５０  車両
５１  内燃機関
５２  排気管
５３  通信端末機
５４  報知部
５５  制御部
１００  フィルタ装置
１１０、１１０Ａ、１１０Ｂ、１１０Ｃ、１１０Ｄ、１１０Ｅ、１１０Ｆ  フィルタ
１１１、１１１Ａ１、１１１Ａ２、１１１Ｂ、１１１Ｃ１、１１１Ｃ２、１１１Ｄ、１１１Ｅ１、１１１Ｅ２、１１１Ｆ１、１１１Ｆ２  穴部
１１２、１１２Ｂ１、１１２Ｂ２、１１２Ｃ１、１１２Ｃ２、１１２Ｄ、１１２Ｅ、１１２Ｆ  穴部
１１３Ａ１、１１３Ａ２、１１３Ｂ、１１３Ｃ１、１１３Ｃ２、１１３Ｄ、１１３Ｅ、１１３Ｆ１、１１３Ｆ２  壁部
１１４Ａ、１１４Ｂ１、１１４Ｂ２、１１４Ｃ１、１１４Ｃ２、１１４Ｄ、１１４Ｅ、１１４Ｆ  壁部
１２０  カバー
１３０  アンテナ
２００  情報処理装置
２０１  目詰まり度合取得部
２０２  判定部
２０３  通知部
【図１】
2018053821.tif 000003
【図２】
2018053821.tif 000004
【図３】
2018053821.tif 000005
【図４】
2018053821.tif 000006
【図５】
2018053821.tif 000007
【図６】
2018053821.tif 000008
【図７】
2018053821.tif 000009
【図８】
2018053821.tif 000010
【図９】
2018053821.tif 000011
【図１０】
2018053821.tif 000012
【図１１】
2018053821.tif 000013
【図１２】
2018053821.tif 000014
【図１３】
2018053821.tif 000015